(57)【要約】【課題】電池寿命が長く使い勝手の良いリモートコントローラを備えた衛生洗浄装置を提供することを目的とする。【解決手段】便器１１０上に設置され電動機能を内蔵する本体２００と、電池を電源とするリモートコントローラ４００とを含み、リモートコントローラ４００は人体検知センサ３００と、非接触スイッチ４４０と、リモコン制御部５００と、送信部４３６とを備え、リモコン制御部５００は、送信駆動部５６０と、人体検知駆動部５４１と、照度センサ駆動部５２５と、供給電圧を高電圧と低電圧に切換可能な電源部５８０とを備え、人体検知センサ３００が人体を検知していない待機モードでは、送信駆動部５６０と、人体検知駆動部５４１のみを駆動し、電源部５８０を低電圧に維持することにより、消費電力を大幅に低減することが可能となり、リモートコントローラの電池寿命を延長することができる。【選択図】図１２
2014031610.tif 000002
【特許請求の範囲】
【請求項１】
便器上に設置され、電動機能を内蔵する本体と、
前記本体とは別体で、前記電動機能を操作する電池を電源とするリモートコントローラと、を含み、
前記リモートコントローラは、前記リモートコントローラに接近した人体を検知する人体検知センサと、使用者の身体部位の近接を近接センサにより検出する非接触スイッチと、前記非接触スイッチの非接触操作を検出するリモコン制御部と、操作信号を前記本体に送信する送信部と、を備え、
前記リモコン制御部は、前記送信部を駆動する送信駆動部と、前記人体検知センサを駆動する人体検知駆動部と、前記非接触スイッチを駆動するセンサ駆動部と、供給電圧を高電圧と低電圧に切換可能な電源部と、を備え、
前記人体検知センサが人体を検知していない待機モードでは、前記人体検知駆動部のみを駆動し、前記電源部を低電圧に維持することを特徴とする、
衛生洗浄装置。
【請求項２】
前記人体検知センサは、人体から放出される赤外線を検知する焦電センサで構成された、
請求項１に記載の衛生洗浄装置。
【請求項３】
前記近接センサは、明るさにより出力電圧が変動する照度センサで構成された、
請求項１または２に記載の衛生洗浄装置。
【発明の詳細な説明】
【技術分野】
【０００１】
本発明は、電動機能を非接触操作するリモートコントローラを備えた衛生洗浄装置に関するものである。
【背景技術】
【０００２】
従来、この種の非接触で操作を行うリモートコントローラを備えた機器は、機器本体に人体を検知する人体検知手段を備え、リモートコントローラには外部の照度を検知する光検知手段と、非接触操作を検知する光センサと、光検知手段と光センサとの照度差によって非接触操作を判定する照度比較回路と、本体と信号を送受信する送受信回路を備えた構成である。本体の人体検知手段が人体を検知していない間は、リモートコントローラの光センサが検知不能な状態で、光検知手段、照度比較回路、送受信回路等は起動状態である待機モードで維持されており、人体検知手段が人体を検知すれば人体検知信号を送受信回路で受信して、光センサを起動させる構成となっている（例えば、特許文献１参照）。
【先行技術文献】
【特許文献】
【０００３】
【特許文献１】特開２０１１−１８２２４４号公報
【発明の概要】
【発明が解決しようとする課題】
【０００４】
しかしながら、前記従来の構成では、非接触操作を行うために、外部の照度を検知する光り検知手段と、非接触操作を直接検知する光センサを別に設けた構成である。また、人体検知手段はリモートコントローラと別体の本体に設置されており、リモートコントローラと本体とは双方向の送受信回路で常時送受信可能な状態に維持された構成であり、待機モードにおけるリモートコントローラの消費電力は十分に低減されておらない。また、リモートコントローラの通信機能は双方向の送受信回路であり、この部分だけでも多くの電力を常時消費する構成である。
【０００５】
上記のように従来のリモートコントローラは電力を消費する機能部品の数が多く、また電力を多く消費する構成要素が使用されており、省エネルギの観点から未だ改良の余地があった。
【０００６】
本発明は、前記従来の課題を解決するもので、人体検知センサをリモートコントローラに設け人体検知センサの検知信号により、リモートコントローラを待機モードと稼働モードに直接切り替えることにより電力の消費を低減し、電池消耗を抑制して電池寿命を伸ばすことにより使い勝手の良い衛生洗浄装置を提供することを目的とする。
【課題を解決するための手段】
【０００７】
前記従来の課題を解決するために、本発明の衛生洗浄装置は、便器上に設置され、電動機能を内蔵する本体と、本体とは別体で、電動機能を操作する電池を電源とするリモートコントローラとを含み、リモートコントローラは、リモートコントローラに接近した人体を検知する人体検知センサと、使用者の身体部位の近接を近接センサにより検出する非接触スイッチと、非接触スイッチの非接触操作を検出するリモコン制御部と、操作信号を本体に送信する送信部とを備え、リモコン制御部は、送信部を駆動する送信駆動部と、人体検知センサを駆動する人体検知駆動部と、非接触スイッチを駆動するセンサ駆動部と、供給電圧を高電圧と低電圧に切換可能な電源部とを備え、人体検知センサが人体を検知していない待機モードでは、人体検知駆動部のみを駆動し、電源部を低電圧に維持することを
特徴とする衛生洗浄装置である。
【０００８】
これにより、待機モードにおいては、リモコン制御部を起動させるのに必要な人体検知駆動部のみを駆動して消費電力を低減することができる。また、電源部を低電圧に低下させることにより、リモコン制御部の機能が消費電力の少ない状態に維持されることとなり、リモートコントローラ全体の消費電力を大幅に低減することが可能となり、リモートコントローラの電源である電池の消耗を抑制することにより、電池寿命が長く使い勝手の良いリモートコントローラを備えた衛生洗浄装置を提供することができる。
【発明の効果】
【０００９】
本発明の衛生洗浄装置は、電池寿命が長く使い勝手の良いリモートコントローラを提供することができる。
【図面の簡単な説明】
【００１０】
【図１】本発明の実施の形態１における衛生洗浄装置の外観を示す斜視図
【図２】本発明の実施の形態１における衛生洗浄装置の制御系のブロック図
【図３】本発明の実施の形態１におけるリモートコントローラの外観を示す斜視図
【図４】本発明の実施の形態１におけるリモートコントローラのフロントパネルを開放した状態の正面図
【図５】図３に示すＡＡ断面図
【図６】図３に示すＢＢ断面図
【図７】図６に示すＣ部詳細を示す断面図
【図８】本発明の実施の形態１における人体検知センサの詳細を示す斜視図
【図９】本発明の実施の形態１における人体検知センサの横方向の断面図
【図１０】本発明の実施の形態１における人体検知センサの縦方向の検知範囲を示す模式図
【図１１】本発明の実施の形態１における人体検知センサの横方向の検知範囲を示す模式図
【図１２】本発明の実施の形態１におけるリモートコントローラの制御系のブロック図
【図１３】本発明の実施の形態１における感度調整抵抗の対応照度を示す模式図
【図１４】本発明の実施の形態１における非接触操作の判定動作における出力電圧を示すグラフ
【発明を実施するための形態】
【００１１】
第１の発明は、便器上に設置され、電動機能を内蔵する本体と、前記本体とは別体で、前記電動機能を操作する電池を電源とするリモートコントローラとを含み、前記リモートコントローラは、前記リモートコントローラに接近した人体を検知する人体検知センサと、使用者の身体部位の近接を近接センサにより検出する非接触スイッチと、前記非接触スイッチの非接触操作を検出するリモコン制御部と、操作信号を前記本体に送信する送信部と、を備え、前記リモコン制御部は、前記送信部を駆動する送信駆動部と、前記人体検知センサを駆動する人体検知駆動部と、前記非接触スイッチを駆動するセンサ駆動部と、供給電圧を高電圧と低電圧に切換可能な電源部とを備え、前記人体検知センサが人体を検知していない待機モードでは、前記人体検知駆動部のみを駆動し、前記電源部を低電圧に維持することを特徴とする衛生洗浄装置である。
【００１２】
これにより、待機モードにおいては、リモコン制御部を起動させるのに必要な人体検知駆動部のみを駆動して消費電力を低減することができる。また、電源部を低電圧に低下させることにより、リモコン制御部の機能が消費電力の少ない状態に維持されることとなり、リモートコントローラ全体の消費電力を大幅に低減することが可能となり、リモートコ
ントローラの電源である電池の消耗を抑制することにより、電池寿命が長く使い勝手の良いリモートコントローラを備えた衛生洗浄装置を提供することができる。
【００１３】
第２の発明は、特に、第１の発明において、前記人体検知センサは、人体から放出される赤外線を検知する焦電センサで構成されたものである。
【００１４】
これにより、特に常時駆動状態を維持する人体検知センサを、人体から放出される赤外線を一方的に受光する受光機能のみを備えた焦電センサを使用することにより、消費電力を効果的に低減することができる。
【００１５】
第３の発明は、特に、第１または第２発明において、前記近接センサは、明るさにより出力電圧が変動する照度センサで構成されたものである。
【００１６】
これにより、近接センサを駆動する消費電力を低減させることができるので、省電力のリモートコントローラを提供することができる。
【００１７】
以下、本発明の実施の形態について、図面を参照しながら説明する。なお、この実施の形態によって本発明が限定されるものではない。
【００１８】
（実施の形態１）
図１は本実施の形態における衛生洗浄装置を便器上に設置した状態の外観の斜視図を示し、図２は衛生洗浄装置の制御系のブロック図を示すものである。
【００１９】
＜１＞衛生洗浄装置の構成
図１に示すように、衛生洗浄装置１００は、本体２００、便蓋２１０、便座２２０、リモートコントローラ４００により構成され、本体２００、便蓋２１０、便座２２０は一体で構成され便器１１０の上面に設置される。
【００２０】
なお、本実施の形態においては衛生洗浄装置１００の本体２００の設置側を後方、便座２２０の設置側を前方とし、前方に向かって右側を右側、前方に向かって左側を左側として各構成要素の配置を説明する。
【００２１】
本体２００には、便蓋２１０および便座２２０が便座便蓋回動機構２１５を介して開閉可能に取り付けられている。図１に示すように便蓋２１０を開放した状態においては、便蓋２１０は衛生洗浄装置１００の最後部に位置するように起立する。また、便蓋２１０を閉塞すると便座２２０の上面を隠蔽する。便座２２０は便座ヒータ２２１を内蔵しており、便座の着座面が快適な温度になるように加熱する。
【００２２】
便座便蓋回動機構２１５は直流モータと複数のギアで構成されており、便蓋２１０と便座２２０を個別または同時に開閉することができる。
【００２３】
本体２００の内部には、洗浄水供給機構（図示せず）、熱交換器（図示せず）、洗浄ノズル２３１等で構成された人体の局部を洗浄する洗浄機構２３０と、洗浄後の局部を乾燥する乾燥装置（図示せず）と、本体制御部２４０等が内蔵されている。
【００２４】
本体２００の下部中央には洗浄ノズル２３１が設置されている。洗浄機構２３０の主な構成は、本体２００の内部に設置された洗浄水供給機構（図示せず）と洗浄水を加熱する熱交換器（図示せず）と洗浄水の流量を調整する流量調節機構（図示せず）が洗浄ノズル２３１に接続されており、水道配管から供給される洗浄水を熱交換器で加熱した温水を洗浄ノズル２３１に供給し、洗浄ノズル２３１から使用者の局部に向けて温水を噴出し、使
用者の局部を洗浄するものである。
【００２５】
洗浄ノズル２３１はお尻を洗浄するお尻洗浄ノズル部と女性の局部を洗浄するビデノズル部を備えている。また、洗浄ノズル２３１は本体２００内に収容した収納位置と本体２００から突出して洗浄動作を行う洗浄位置との間を進退移動するノズル駆動機構（図示せず）を備えている。
【００２６】
本体２００の前面コーナ部には着座検知センサ２５０が設置されている。この着座検知センサ２５０は反射型の赤外線センサであり、赤外線を発光して人体で反射された赤外線を受光することにより便座２２０上に使用者が存在することを検知する。
【００２７】
本体２００の右側には本体２００と一体に袖部２６０が突出して形成されており、袖部２６０の上面には本体操作部２６１と、リモートコントローラ４００から送信される赤外線信号を受信する赤外線受信部２６２が配置されており、本体操作部２６１には衛生洗浄装置１００の最も重要な機能である電源スイッチ２６１ａと、洗浄機能の中で最も使用頻度の高いお尻洗浄機能を操作するお尻洗浄スイッチ２６１ｂが配置されている。
【００２８】
リモートコントローラ４００は本体２００とは別体で構成されており、便座２２０上に着座した使用者が操作のしやすいトイレルームの壁面等の場所に取り付けられる。リモートコントローラ４００にはトイレルームに入出した使用者を検知する人体検知センサ３００と衛生洗浄装置１００の各機能の操作と設定を行う複数のスイッチ機能と表示機能が配置されている。なお、リモートコントローラ４００の詳細な構成および作用については後述する。
【００２９】
本発明の衛生洗浄装置１００はトイレルームに使用者が存在しない場合は、便座ヒータ２２１への通電を停止、もしくは２０℃程度の待機温度で保温している。トイレルームに使用者が入室すると、人体検知センサ３００からの信号を受け、便座ヒータ２２１に通電を行う。便座ヒータは８００Ｗ程度の非常に高出力のヒータであり、使用者がトイレルームに入室してから便座に着座するまでの６秒から１０秒程度の間に、便座２２０の着座面を４０℃程度の設定温度に昇温する。
【００３０】
便座が設定温度に達した後は、便座ヒータ２２１への通電を５０Ｗ程度の低ワットに下げて設定温度を保つ。使用者がトイレルーム内から出ると、便座ヒータへの通電を停止、もしくは２０℃程度の待機温度となる。つまり、トイレルームに使用者がいないときの電力を大幅に削減した衛生洗浄装置である。
【００３１】
＜２＞衛生洗浄装置の基本的な動作および作用
リモートコントローラ４００の人体検知センサ３００が人体を検出すると、リモートコントローラ４００は人体検知信号を赤外線送信部４３６より送信し、本体２００の赤外線受信部２６２で受信した人体検知信号は本体制御部２４０に送信され、本体制御部２４０は便座便蓋回動機構２１５を駆動して便蓋２１０を開放するするとともに、便座２２０の便座ヒータ２２１への通電を開始して便座２２０の着座面が着座に適した４０℃程度になるように、１０秒以内に昇温させる。
【００３２】
使用者が、便座２２０に着座すると、着座検知センサ２５０が着座を検出し、本体制御部２４０が着座信号を受信することにより、本体２００のお尻洗浄スイッチ２６１ｂおよびリモートコントローラ４００の洗浄機能の操作が可能となる。
【００３３】
使用者が用便を終了し、洗浄機構２３０により局部の洗浄を終了した後に使用者が便座２２０から立ち上がってトイレルームから退出し、リモートコントローラ４００の人体検
知センサ３００からの人体検知信号の送信が停止すると、本体制御部２４０は人体検知終了してから所定時間経過後（本実施の形態においては３分後）に、便座便蓋回動機構２１５を駆動させて便蓋２１０を自動的に閉塞させるとともに、便座ヒータ２２１への通電を停止し、その後待機温度まで降下したら待機温度を維持するように制御を行う。
【００３４】
使用者が男子小用の場合は、使用者がトイレルームに入室し、リモートコントローラ４００の人体検知センサ３００の信号により便蓋２１０が開放された状態で、使用者がリモートコントローラ４００で便座２２０を起立させる操作を行うことにより、本体制御部２４０は便座便蓋回動機構２１５を駆動させて便座２２０を起立させるとともに、便座ヒータ２２１への通電を停止し、その後待機温度まで降下したら待機温度を維持する制御する。
【００３５】
使用者が男子小用を終了し、トイレルームから退出してリモートコントローラ４００の人体検知センサ３００からの人体検知信号の送信が終了したら、本体制御部２４０は所定時間経過後（本実施の形態においては３分後）に、便座便蓋回動機構２１５を駆動させて便蓋２１０と便座２２０を閉塞させる。
【００３６】
上記のように、リモートコントローラ４００および本体操作部２６１からの操作信号を本体制御部２４０が受信した場合、本体制御部２４０は着座検知センサ２５０の着座信号を受信中か否かにより、操作信号の適否を判定し、本体２００の各機能の駆動を制御する。
【００３７】
例えば、着座信号の受信中に便座２２０を開放する操作信号を受信しても、操作信号をキャンセルし、便座便蓋回動機構２１５の駆動を実施しない。
【００３８】
また、着座信号の非受信中に洗浄機構２３０の操作信号を受信した場合も、操作信号をキャンセルし、洗浄機構の駆動を実施しない。
【００３９】
なお、リモートコントローラ４００の詳細な構成および作用については後述する。
【００４０】
＜３＞リモートコントローラの構成
図３はリモートコントローラの使用状態における外観を示す斜視図であり、図４はリモートコントローラのフロントパネルを開放した状態を示す正面図であり、図５は図３に示すＡＡ断面図であり、図６は図３に示すＢＢ断面図であり、図７は図６に示すＣ部詳細を示す断面図であり、図８は人体検知センサの詳細な外観を示す斜視図であり、図９は人体検知センサ取り付け部の横方向の詳細な断面図であり、図１０は人体検知センサの縦方向の検知範囲を示す模式図であり、図１１は人体検知センサの横方向の検知範囲を示す模式図である。
【００４１】
図３に示すように、リモートコントローラ４００の全体形状は薄い直方体に形成されており、樹脂材料で成形された箱状のリモコン本体４０１とリモコン本体の前面を覆うフロントパネル４０２で構成されており、フロントパネル４０２はリモコン本体４０１の前面下端部に開閉自在に枢支されており、リモコン本体４０１の上端近傍の左右に設けた磁石４０１ａと、フロントパネルの対応する位置に設けたステンレス製の受板４０２ｃにより、磁力を使用してフロントパネル４０２の閉塞状態を維持する構成となっている。
【００４２】
通常の使用時には、図３に示すようにフロントパネル４０２を閉塞した状態で使用し、リモートコントローラ４００の設定および通常あまり使用しない操作を行うときは、図４に示すようにフロントパネル４０２を開放して使用する。
【００４３】
図４に示すように、リモコン本体４０１の前面には、主に上部には衛生洗浄装置１００の使用時に多く使用する操作スイッチ４１０および人体検知センサ３００が配置されており、主に下部には衛生洗浄装置１００の機能の設定を行う設定スイッチ４２０と、通常あまり使用しない操作スイッチ４１０が配置されており、中央部には非接触による操作で使用する２個の照度センサ４４０と非接触による操作と同様な操作が可能な操作スイッチ４１０が配設されている。これらの操作スイッチ４１０と設定スイッチ４２０はスイッチの操作部に直接接触して操作する接触スイッチであるタクトスイッチを使用している。
【００４４】
フロントパネル４０２を閉塞した状態で使用可能な操作スイッチ４１０としては、便蓋開閉スイッチ４１１と、女性の局部洗浄を開始するビデ洗浄スイッチ４１２と、洗浄後の臀部の乾燥を開始する乾燥スイッチ４１３と、お尻を洗浄するお尻洗浄スイッチ４１５と、ビデ洗浄スイッチ４１２とお尻洗浄スイッチ４１５と乾燥スイッチ４１３で開始した動作を停止させる停止スイッチ４１４と、便座２２０を起立および倒置させる便座開閉スイッチ４１６が配置されている。
【００４５】
便蓋開閉スイッチ４１１とビデ洗浄スイッチ４１２と乾燥スイッチ４１３と停止スイッチ４１４は、リモートコントローラ４００の上部に横一列に配設されており、お尻洗浄スイッチ４１５と便座開閉スイッチ４１６はリモートコントローラ４００の中央部の同一垂線上に間隔をあけて配設されている。
【００４６】
また、フロントパネル４０２を開放した状態でのみ使用可能な操作スイッチ４１０としては、お尻洗浄の洗浄水を強弱に変化させるリズムスイッチ４１７と、お尻洗浄時の洗浄水の噴出範囲を拡大するワイドスイッチ４１８、洗浄中の洗浄位置を前後に繰り返して移動させるムーブスイッチ４１９が配置されている。
【００４７】
また、設定スイッチ４２０としては、洗浄中の洗浄水の強度と乾燥中の乾燥装置の温風温度を２個のスイッチで設定する強度スイッチ４２１と、洗浄位置を２個のスイッチで設定する洗浄位置スイッチ４２２と、洗浄水の温度を設定する温水温度スイッチ４２３と、便座の温度を設定する便座温度スイッチ４２４と、衛生洗浄装置を使用しない夜間の８時間は便座２２０の待機温度を低下する８時間切りスイッチ４２５と、非使用時に便座２２０への通電切断する節電スイッチ４２６と、便蓋２１０および便座２２０の自動開閉を設定する自動開閉スイッチ４２７と、照度センサ４４０による非接触による操作を設定するタッチレススイッチ４２８と、ノズルの高温除菌を設定するノズル除菌スイッチ４２９が配設されている。
【００４８】
また、強度スイッチ４２１の近傍には強度表示灯４３１と、洗浄位置スイッチ４２２の近傍には位置表示灯４３２と、温水温度スイッチ４２３の近傍には温水温度の設定を表示する温水温度表示灯４３３と、便座温度スイッチ４２４の近傍には便座温度の設定を表示する便座温度表示灯４３４と、電池の消耗状態を表示する電池表示灯４３５が配設されている。
【００４９】
表示灯４３０と照度センサ４４０に対応するリモコン本体４０１の前面は透明フィルムで覆われている。また、表示灯の中で、強度表示灯４３１と電池表示灯４３５はフロントパネル４０２を閉じた状態で外部から表示が視認できる構成となっている。
【００５０】
また、お尻洗浄スイッチ４１５の下方に隣接して第一照度センサ４４１と、便座開閉スイッチ４１６の下方に隣接して第二照度センサ４４２が配設されている。
【００５１】
第一照度センサ４４１と第二照度センサ４４２は非接触スイッチとして使用されるものであり、使用者が手を近接させることにより発生する照度の変化を出力電圧の変化として
検出するものであり、第一照度センサ４４１と第二照度センサ４４２に使用者の手を近づける操作動作を検出するものである。
【００５２】
第一照度センサ４４１は、お尻洗浄を操作する非接触スイッチであり、お尻洗浄の開始と停止を操作する。なお、お尻洗浄の停止は停止スイッチ４１４でも操作することが可能である。第一照度センサ４４１を操作すると、洗浄機構２３０が駆動されてお尻洗浄が開始される。
【００５３】
第二照度センサ４４２は、便座便蓋回動機構２１５を駆動して便座２２０を開閉する非接触スイッチであり、便座２２０が倒置されている状態で操作すれば、便座便蓋回動機構２１５が駆動され便座２２０は起立される。また、便座２２０が起立されている状態で操作すれば、便座便蓋回動機構２１５が駆動され便座２２０は倒置される。
【００５４】
リモコン本体４０１の上面コーナ部には、操作情報および設定情報を本体２００の袖部２６０に設置された赤外線受信部２６２に送信する赤外線送信部４３６が配置されている。赤外線送信部４３６は発光素子として赤外発光ダイオードを備えている。
【００５５】
図４および図５に示すように、フロントパネル４０２は、略平板状の樹脂製のパネル枠４０２ａと、裏蓋４０２ｂと、リモコン本体４０１に設置した操作スイッチ４１０をフロントパネル４０２の表面から操作する複数の操作ボタン４０３で構成されている。
【００５６】
操作ボタン４０３はフロントパネル４０２を閉塞した状態で使用可能な便蓋開閉スイッチ４１１と、ビデ洗浄スイッチ４１２と、乾燥スイッチ４１３と、停止スイッチ４１４と、お尻洗浄スイッチ４１５と、便座開閉スイッチ４１６に対応する位置に設置されている。
【００５７】
フロントパネル４０２を閉塞した状態でフロントパネル４０２の表面から操作ボタン４０３を押圧することにより、対応する操作スイッチ４１０を操作することができる。なお、図３においては、それぞれの操作ボタン４０３が対応する操作スイッチ４１０を括弧で表示している。
【００５８】
フロントパネル４０２の第一照度センサ４４１と第二照度センサ４４２と強度表示灯４３１と電池表示灯４３５に対応する部分には光を透過する透過部４０４が形成されている。これにより、フロントパネル４０２の表面から強度表示灯４３１と電池表示灯４３５を視認することができるとともに、第一照度センサ４４１と第二照度センサ４４２は照度変化を検出することができる構成となっており、フロントパネル４０２を閉塞した状態で非接触操作が可能な構成となっている。
【００５９】
図５に示すように、リモコン本体４０１の内部には基板上に第一照度センサ４４１と、第二照度センサ４４２が間隔を開けて配置されている。第一照度センサ４４１の上方に隣接してタクトスイッチのお尻洗浄スイッチ４１５が設置されており、第二照度センサ４４２の上方に隣接してタクトスイッチの便座開閉スイッチ４１６が設置されている。
【００６０】
タクトスイッチのお尻洗浄スイッチ４１５と便座開閉スイッチ４１６を配置したリモコン本体４０１の前面部には樹脂の弾性を利用して出没可能な操作部４０１ｂが一体に形成されており、操作部４０１ｂを押圧することにより、お尻洗浄スイッチ４１５と便座開閉スイッチ４１６を操作できる構成となっている。なお、他の操作スイッチ４１０および設定スイッチ４２０も同様な構成となっている。
【００６１】
お尻洗浄スイッチ４１５と便座開閉スイッチ４１６と操作部４０１ｂには貫通孔からな
る採光部４０１ｃが一体に形成されており、第一照度センサ４４１と第二照度センサ４４２は採光部４０１ｃを介して照度変化の検出ができる構成となっている。
【００６２】
フロントパネル４０２には、リモコン本体４０１の操作部４０１ｂに対応する部分にそれぞれ操作ボタン４０３が配設されている。操作ボタン４０３の表面形状は略円形であり指で操作しやすい大きさであり、裏面側には操作部４０１ｂを押圧する棒状に突起が一体に形成されており、フロントパネル４０２のパネル枠４０２ａと裏蓋４０２ｂの間に出没可能に支持されており、操作ボタン４０３を押圧することにより、フロントパネル４０２の表面からそれぞれの操作スイッチ４１０を操作することができる。
【００６３】
お尻洗浄スイッチ４１５と便座開閉スイッチ４１６に対応する操作ボタン４０３には貫通孔からなる透過部４０４が設けられている。
【００６４】
第一照度センサ４４１と第二照度センサ４４２は操作ボタン４０３に設けられた透過部４０４と操作部４０１ｂに設けられた採光部４０１ｃを介してフロントパネルを閉塞した状態で照度変化の検出ができる構成となっている。
【００６５】
非接触操作は第一照度センサ４４１と第二照度センサ４４２の照度変化を検知して実施するものであり、フロントパネル４０２の開閉動作の途中に発生する陰影による照度変化を非接触操作として誤検知する可能性があるため、フロントパネル４０２の開放動作に伴う第一照度センサ４４１と第二照度センサ４４２の照度変化を非接触操作と誤検知する可能性があるため、フロントパネル４０２の開閉状態を検知する開閉検知センサ４３７が設けられている。
【００６６】
図６に示すように、開閉検知センサ４３７はフロントパネル４０２の裏面に設置したスイッチ磁石４３７ａとリモコン本体４０１に設置したリードスイッチ４３７ｂで構成されており、フロントパネル４０２が閉塞状態のときは、リードスイッチ４３７ｂの接点がＯＮとなり、フロントパネル４０２が開放状態のときは、リードスイッチ４３７ｂの接点がＯＦＦとなり、フロントパネルの開閉状態を検知することができる構成となっている。
【００６７】
リードスイッチ４３７ｂがＯＦＦの状態においては、第一照度センサ４４１と第二照度センサ４４２を駆動する照度センサ駆動部５２５が停止されており、第一照度センサ４４１と第二照度センサ４４２は照度変化を検知できない構成となっている。これによりフロントパネル４０２の開閉動作中に発生する陰を第一照度センサ４４１と第二照度センサ４４２が非接触操作として誤検知することを防止することができる。
【００６８】
また、フロントパネル４０２が閉塞状態でリードスイッチ４３７ｂの接点がＯＮの状態においては、フロントパネル４０２の開放状態でのみ視認可能な位置表示灯４３２と、温水温度表示灯４３３と、便座温度表示灯４３４とは消灯することにより、消費電力を抑制する構成となっている。
【００６９】
フロントパネル４０２の強度表示灯４３１に対応する部分には透過部４０４が形成されている。透過部４０４の構成は、フロントパネル４０２のパネル枠４０２ａと裏蓋４０２ｂを貫通する透過路４０４ａの中に透明な樹脂材料で成形された導光体４０５が設置されている。
【００７０】
導光体４０５は略円柱状の導光部４０５ａの外周部に形成されたフランジ４０５ｂによりフロントパネル４０２のパネル枠４０２ａと裏蓋４０２ｂの間に狭持されている。
【００７１】
強度表示灯４３１に対向する導光体４０５の後端部には、導光部４０５ａの約２倍の直
径となる凸状の略半球状の受光部４０５ｃが形成されており、受光した光を集光するレンズ機能を備えている。また略半球状の受光部４０５ｃの中央部には導光部４０５ａの約１／２の直径の平面が形成されており、この部分で受光した光は導光部４０５ａに直進する構成となっている。
【００７２】
導光体４０５の先端部である発光部４０５ｄはフロントパネル４０２の表面より僅かに突出するように配置されている。発光部４０５ｄは細かい凹凸を刻んだ艶消状態に形成されており、導光部４０５ａを通過した光は発光部４０５ｄで乱反射することにより、発光部４０５ｄが発光しているように見えるため、広い角度の範囲から視認することができる。
【００７３】
フロントパネル４０２の位置表示灯４３２に対応する部分には透過部は形成されておらず、位置表示灯４３２はフロントパネル４０２を開放した状態でのみ視認可能な構成となっている。
【００７４】
人体検知センサ３００は、焦電センサ３１０と広い範囲からの赤外線を反射させて焦電センサ３１０へ入射させるミラー３２０が一体に構成されており、人体検知センサ３００は赤外線を透過する半透明の樹脂で成形されたカバー３３０で覆われている。
【００７５】
図８は人体検知センサの詳細な外観を示す斜視図であり、図９は人体検知センサ取り付け部の横方向の詳細な断面図であり、図１０は人体検知センサの縦方向の検知範囲を示す模式図であり、図１１は人体検知センサの横方向の検知範囲を示す模式図である。
【００７６】
図８に示すように、人体検知センサ３００は人体から放出される赤外線を受光する焦電センサ３１０の前面にはミラー３２０が設置されている。ミラー３２０は筒状の反射筒３２１と反射筒３２１を支持する支持部３２２が一体に形成されている。反射筒３２１は内方から外方に向かってラッパ状に拡大する筒状に形成されている。
【００７７】
図９に示すように、焦電センサ３１０とミラー３２０は樹脂製のカバー３３０で覆われている。カバー３３０は乳白色の半透明の高密度ポリエチレン樹脂（ＨＤＰＥ）で一体に成型されており、赤外線を透過させることができるとともに、外部から人体検知センサ３００が視認できない構成となっている。
【００７８】
図９に示すように、カバー３３０は前面部３３１の外面３３１ａの半径Ｒ１は約６５ｍｍの曲面で形成されており、内面３３１ｂの半径Ｒ２は外面３３１ａより大きい約８０ｍｍで形成されている。このように形成することにより、人体検知センサ３００の中央部に対向する位置に配置されるカバー３３０の中央の厚さＷ１は約２ｍｍであるのに対し、周辺部には位置される側端部の厚さＷ２は約０．８ｍｍになっている。側端部の外面３３１ａはフロントパネル４０２の前面とほぼ同面となるように設置されている。
【００７９】
上記構成のカバーを使用した場合、カバー３３０を透過して焦電センサ３１０の受光面３１１の中心に向かう赤外線が樹脂製の前面部３３１の内部を通過する透過経路の距離は、中央部が約２ｍｍであるのに対し、側端部近傍では約２．２ｍｍとなっており、カバー３３０の全面に亘り透過経路の距離のバラツキを１０％以下に抑制することが可能となり、カバー３３０の全面から赤外線を安定して受光することができる。
【００８０】
また、カバー３３０に近接して配置されているミラー３２０は、カバー３３０の厚い部分で覆われることにより完全に隠蔽され、外部からその形状を視認することができず、リモートコントローラ４００のデザイン性を向上する効果を得ることができる。
【００８１】
図１０および図１１に示すように、人体検知センサ３００の焦電センサ３１０の受光面３１１はリモートコントローラ４００の外殻であるフロントパネル４０２の前面より内方となる位置に設置されている。一方、ミラー３２０の反射筒３２１の一部はフロントパネル４０２の前面より外方となる位置に設置されている。
【００８２】
反射筒３２１の上下部には支持部３２２が一体に形成されている。そのため、上下方向からは反射筒３２１の外面に赤外線が入射できない構成となっている。
【００８３】
反射筒３２１の両側部には支持部３２２が形成されておらず、開口部３２３が形成されており、開口部３２３を介して反射筒３２１の外面にフロントパネル４０２の前面に近い側方からの赤外線が入射可能な構成となっている。
【００８４】
ミラー３２０の前面３２４には円形の開口３２５が設けられており、開口３２５の内面は反射筒３２１の内周面３２６と連接するように一体に形成されている。反射筒３２１の内周面３２６は外方から内方に向かって狭くなる略円錐形状の傾斜面で形成されており、対向する傾斜面が約４５度を成している。また、反射筒３２１の外周面３２７は内周面３２６より急傾斜に形成されており、対向する傾斜面が約１００度を成している。
【００８５】
内周面３２６と外周面３２７とは先端部３２８で傾斜面が交差するように接合している。ミラー３２０は樹脂材料で一体に成形されており、表面にメッキ処理を施して赤外線を反射しやすい構成となっている。  図１０に示すように、矢印Ｙ１およびＹ２で示す人体検知センサ３００の正面から照射された赤外線と、矢印Ｙ１およびＹ２で示す上下方向から照射された赤外線はミラー３２０の反射筒３２１の内部を通過して焦電センサ３１０の受光面３１１に直接到達する。また、矢印Ｙ１およびＹ２の外側から照射される赤外線は、反射筒３２１の内周面３２６で反射して受光面３１１に到達する。そのため、焦電センサ３１０が検知できる上下方向の範囲は約６０度の範囲となっている。
【００８６】
図１１に示すように、人体検知センサ３００の左右方向から照射された赤外線は、一部は上下方向のからの照射と同様に反射筒３２１の内部を通過して焦電センサ３１０の受光面３１１に到達する。また一部は図の矢印Ｙ５およびＹ６で示すように開口部３２３を通過して焦電センサ３１０の受光面３１１に直接到達する。
【００８７】
また、リモートコントローラ４００の前面に近い広い角度から照射された赤外線は図の矢印Ｙ７およびＹ８で示すように反射筒３２１の外周面３２７で反射して焦電センサ３１０の受光面３１１に到達する。そのため、焦電センサ３１０が検知できる左右方向の範囲は約１６０度となっている。
【００８８】
リモートコントローラ４００は一般的に使用者が着座して使用しやすい高さ（８０ｃｍ〜１００ｃｍ程度）に設置されるため、設置される高さの広い角度の水平面に近い範囲の赤外線を受光可能とすることにより、子供から大人までの広い範囲の身長に対応することが可能となり、受光の確率を向上することができる。
【００８９】
上記のように広い範囲からの赤外線を受光するために、人体検知センサ３００の焦電センサ３１０の受光面３１１はリモートコントローラ４００のフロントパネル４０２の前面より内方に設置されており、ミラー３２０の反射筒３２１の内周面３２６および外周面３２７の一部がフロントパネル４０２の前面より外方となる位置に設置されている。
【００９０】
このように設置することにより、人体検知センサ３００をリモートコントローラ４００の前面よりほとんど突出させずに設置した状態においても、設置位置の水平面において１６０度以上の広い範囲に存在する人体を検知することが可能となっている。
【００９１】
＜４＞リモートコントローラの制御系の構成
図１２はリモートコントローラの制御系の構成を示すブロック図であり、図１３は感度調整抵抗の対応照度を示す模式図である。
【００９２】
図１２に示すように、リモートコントローラ４００には、情報入力手段として人体検知センサ３００の焦電センサ３１０と、操作スイッチ４１０と、設定スイッチ４２０と、開閉検知センサ４３７と、第一照度センサ４４１と、第二照度センサ４４２を備えており、出力手段としては本体２００に制御情報を赤外線で送信する赤外線送信部４３６と、制御情報を表示する表示灯４３０を備えている。検知情報と操作情報を処理するリモコン制御部５００を備えている。また、リモートコントローラ４００の駆動源として電池４５０を備えている。
【００９３】
リモートコントローラ４００の各種情報を処理するリモコン制御部５００には、操作信号を検出する手段としては、接触スイッチで構成された操作スイッチ４１０と設定スイッチ４２０の操作を検出するスイッチ操作検出部５１０を備えている。
【００９４】
また、非接触スイッチの非接触操作を検出する機能としては非接触操作検出部５２０を備えている。非接触操作検出部５２０は第一照度センサ４４１の出力電圧を所定の範囲に調整して出力電圧の変化量を検出する第一変化量検出部５２１と、第一変化量検出部５２１の出力信号の変化率を検出する第一変化率検出部５２２と、第二照度センサ４４２の出力電圧を所定の範囲に調整して出力電圧の変化量を検出する第二変化量検出部５２３と、第二変化量検出部５２３の出力信号の変化率を検出する第二変化率検出部５２４と、第一照度センサ４４１と第二照度センサ４４２を駆動する照度センサ駆動部５２５を備えている。
【００９５】
第一変化量検出部５２１と第二変化量検出部５２３の主な機能は感度調整機能である。リモートコントローラ４００を使用するトイレルームは、窓の有無、使用時間帯、照明の種類等により明るさのバラツキが大きく、照度センサ４４０の出力電圧のバラツキが大きい。第一変化量検出部５２１と第二変化量検出部５２３の感度調整機能は使用場所の明るさに対応して出力電圧を所定の範囲に変換して同一のレベルで出力電圧の変化量を検出できるようにするものであり、それぞれ６個の感度調整抵抗を備えている。
【００９６】
感度調整は、第一変化量検出部５２１と第二変化量検出部５２３の出力電圧が１．５Ｖから４Ｖの範囲になるように感度調整抵抗を選択することにより実施される。
【００９７】
図１４に示すように、本実施の形態のリモートコントローラ４００は約５ルックスから２万ルックスまでの明るさの範囲に対応可能な機能を備えている。それぞれの感度調整抵抗が対応する照度の範囲は明るいところは広く、暗いところでは狭くなっている。このように対応する照度の範囲が異なっているのは、明るい環境では非接触操作によって発生する陰による照度変化が大きいため変化量が検知しやすいのに対し、暗い環境では陰による変化量が小さいため、正確な検知を行うためには精度を高める必要があるためである。
【００９８】
一般的なトイレルームの明るさは第三感度調整抵抗と第四感度調整抵抗の範囲である５０ルックスから５００ルックス程度であるため、第四感度調整抵抗を初期値として、周囲の明るさに対応して感度調整抵抗を選択することにより出力電圧を一定の範囲（１．５Ｖ〜４Ｖの範囲）に調整する構成となっている。
【００９９】
例えば、初期値である第四調整抵抗を使用した状態で出力電圧が４．２Ｖである場合、感度調整抵抗を第三感度調整抵抗に切り替えると、出力電圧が２．５Ｖになる。
【０１００】
上記のように、６個の感度調整抵抗による感度調整機能を備えたことにより、リモートコントローラ４００の設置場所の明るさに対応した狭い範囲での照度変化の検知が可能となり、検知精度を向上することができる。
【０１０１】
また、出力信号の変化率を検出する第一変化率検出部５２２と第二変化率検出部５２４の主な機能は増幅機能である。第一変化量検出部５２１と第二変化量検出部５２３で所定の範囲に調整された出力電圧を増幅し、増幅した出力電圧の変化率を演算により検出するものである。
【０１０２】
増幅率の設定は、感度調整で第一変化量検出部５２１と第二変化量検出部５２３が選択した感度調整抵抗毎に異なる増幅率が設定される。また、この段階で非接触操作の判定に使用される第一変化率検出部５２２と第二変化率検出部５２４の出力電圧の閾値が設定される。
【０１０３】
図１４に示すように、第一変化量検出部５２１と第二変化量検出部５２３のそれぞれの感度調整抵抗が対応する明るさの範囲は略対数的に異なったものであり、第一変化量検出部５２１と第二変化量検出部５２３の出力電圧を直接演算して変化率を算出した場合、実際の照度の変化率が同一であっても、照度の高い部分と低い部分では演算して出力する変化率には差が生じる。
【０１０４】
上記誤差を解消するために、本実施の形態における第一変化率検出部５２２と第二変化率検出部５２４は、第一変化量検出部５２１および第二変化量検出部５２３からの出力電圧を感度調整抵抗毎に異なる増幅率で増幅し、変化率のレベルを一致させてから演算処理することにより、実際の照度変化の変化率に近い変化率を算出して出力電圧を出力するものである。
【０１０５】
変化率を検出することにより、照度センサ４４０が検出する照度の変化のスピードを検知することができ、例えばトイレルームの扉の開閉に伴う明るさの変化あるいは使用者が普通に動いている動作に伴う明るさの変化と、非接触操作に伴う明るさの変化の違いを判定することが可能となり、誤検知や誤動作を抑制することができる。
【０１０６】
また、フロントパネル４０２の開閉を検知する開閉検知センサ４３７の検知信号を検出する開閉検出部５３０を備えている。
【０１０７】
人体検知センサ３００の検出機能としては焦電センサ３１０の検出信号を検出する人体検知検出部５４０と焦電センサ駆動部５４１を備えている。人体検知検出部５４０は焦電センサ３１０が人体からの赤外線を検知して上下に変化する出力電圧を検出する機能を備えている。焦電センサ駆動部５４１は焦電センサ３１０に駆動用の２Ｖの電力を常時供給するものである。
【０１０８】
また、電池４５０の電圧を検出して電池４５０の消耗状態を検出する電池検査部５５０を備えている。
【０１０９】
リモコン制御部５００の出力機能としては、リモートコントローラ４００が検出した検出データに基づき本体２００の機能を操作する操作信号を本体２００に送信する機能として送信駆動部５６０を備えており、送信駆動部５６０は赤外線送信部４３６を介して本体の赤外線受信部２６２に送信する。
【０１１０】
また、リモートコントローラ４００が検出した検出データに基づきリモートコントロー
ラに設けられた表示灯４３０を駆動する表示灯駆動部５７０を備えている。
【０１１１】
リモートコントローラ４００の全ての機能を駆動する電源として、電池４５０から供給される電力を変換して各機能に供給する電源部５８０を備えている。電源部５８０は、５Ｖと２Ｖの電力を選択的に供給する５／２Ｖ出力部５８１と、３Ｖの電力を供給する３Ｖ出力部５８２と、２Ｖの電力を供給する２Ｖ出力部５８３を備えている。
【０１１２】
図１２に示すように、３Ｖ出力部５８２は本体２００に操作信号を送信する送信駆動部５６０に電流を供給しており、送信駆動部は送信を実施するときのみに駆動される。
【０１１３】
２Ｖ出力部５８３は焦電センサ駆動部５４１に電流を供給しており、２Ｖ出力部５８３は常時電流を供給している。
【０１１４】
５／２Ｖ出力部５８１は、送信駆動部５６０と焦電センサ駆動部５４１以外の各機能に電流を供給しており、主にリモートコントローラ４００の使用中は５Ｖの電流を供給し、不使用中は２Ｖの電流を供給するものであり、省電力により電池４５０の消耗を抑制することを目的とするものである。
【０１１５】
リモコン制御部５００の中枢である情報処理部５９０はマイコンを主構成部材とするものであり、各検出部から送信される検出信号を、主にＡ／Ｄコンバータを介してデジタル信号化してデジタル処理を行うものである。
【０１１６】
本実施の形態におけるリモコン制御部５００の特徴的な構成としては、人体検知センサ３００が人体を検知していない待機状態の間は、マイコンに内蔵されたストップモードの機能を使用して、マイコン自体の消費電力を抑制するとともに、電源部５８０の５／２Ｖ出力部５８１の供給電圧を２Ｖに降圧して供給することにより、対応する機能の駆動を停止させ、リモートコントローラ４００全体の消費電力を抑制する待機モードに移行する構成となっている。
【０１１７】
待機モードの解除は、人体検知センサ３００の人体検知信号または操作スイッチ４１０の操作信号によりなされ、電源部５８０の５／２Ｖ出力部５８１の供給電圧を５Ｖに昇圧されて供給することにより、リモートコントローラ４００の全ての機能が使用可能な稼働モードに復帰する。
【０１１８】
上記構成のリモートコントローラ４００は、操作手段である操作スイッチ４１０と設定スイッチ４２０と第一照度センサ４４１と第二照度センサ４４２から入力された入力情報により、どのような操作がされたかをリモコン制御部５００で判定し、操作信号を赤外線送信部４３６から本体２００に送信し、本体制御部２４０が衛生洗浄装置１００の各種機能の制御を実施する。また、表示灯駆動部５７０により所定の表示灯４３０を点灯させる。
【０１１９】
＜５＞リモートコントローラの非接触操作の判定方法
図１４は非接触操作の判定動作における出力電圧を示すグラフである。
【０１２０】
図１４は一方の照度センサ４４０（例えば、第一照度センサ４４１）の非接触操作の判定方法を示すものであり、第一変化量検出部５２１から出力される出力電圧の変化量と、第一変化率検出部５２２から出力される出力電圧の変化率と、人体検知センサ３００の焦電センサ３１０の出力電圧を検出する人体検知検出部５４０から出力される出力電圧の変化量とを示したものである。
【０１２１】
リモートコントローラ４００が稼働モードに移行した時点で、照度センサ駆動部５２５と第一変化量検出部５２１と、第二変化量検出部５２３と、第一変化率検出部５２２と、第二変化率検出部５２４が稼働し、非接触操作の検知が可能となる。
【０１２２】
第一照度センサ４４１と第二照度センサ４４２が照度検知を開始し、第一変化量検出部５２１と第二変化量検出部５２３は出力電圧を出力する。第一変化量検出部５２１と第二変化量検出部５２３は出力電圧が１．５Ｖ〜４Ｖの範囲に入るように感度調整抵抗を選択して感度調整を実施する。
【０１２３】
第一変化量検出部５２１と第二変化量検出部５２３の感度調整に伴い、第一変化率検出部５２２と第二変化率検出部５２４の増幅率と閾値が設定される。
【０１２４】
以下、非接触操作の判定動作については、第一照度センサ４４１が非接触操作の検知を基本として説明する。
【０１２５】
図１４に示すように非接触操作の判定動作は、第一変化量検出部５２１から出力される照度変化に対応する出力電圧と、第一変化率検出部５２２から出力される照度変化の変化率に対応する出力電圧と、人体検知検出部５４０から出力される出力電圧により情報処理部５９０が実施する。
【０１２６】
非接触操作が実施されると、手や指の陰により照度が低下するため第一変化量検出部５２１の出力電圧は低下する。また、第一変化率検出部５２２の出力電圧は、手や指が近づく初期の段階で急激に上昇し、手や指が定位置に近づくにつれて低下する。また、人体検知検出部５４０の出力電圧は手が焦電センサ３１０に近づくことにより上下に大きく変動する。
【０１２７】
正規の非接触操作がなされた場合は、第一変化率検出部５２２から出力される変化率に対応する出力電圧は急速に上昇し、閾値以上の出力電圧を検知した時点Ｔ１で判定動作が開始される。
【０１２８】
Ｔ１の時点で、第一変化量検出部５２１が出力した出力電圧を基準電圧として設定されるとともに、選択されている感度調整抵抗と設定された基準電圧により閾値が設定される。また、Ｔ１の時点でタイマーのカウントが開始され判定動作が開始される。
【０１２９】
基本的な判定動作は、判定動作が開始されてから所定時間経過した時点Ｔ２（本実施の形態においては０．６秒後）で第一変化量検出部５２１からの出力電圧を最初に検出し、出力電圧が閾値以下に低下している場合は非接触操作が確定する。
【０１３０】
０．６秒後の時点Ｔ２で出力電圧が閾値以下に低下していない場合は、その後０．１秒間隔で判定動作の開始から１．２秒後Ｔ３まで検出を繰り返す。すなわち、判定動作開始後０．６秒から１．２秒の間が判定が確定する判定確定期間となる。
【０１３１】
判定確定期間に出力電圧が閾値以下に到達した時点で非接触動作は確定する。一方、判定確定期間に出力電圧が閾値以下に低下しない場合は、非接触操作が実施されなかったものとして判定動作は終了する。
【０１３２】
なお、非接触操作の意志がなく、使用者がリモートコントローラ４００にゆっくり近づいた場合は、第一変化量検出部５２１からの出力電圧の変化量は正規の非接触操作の検出データに近いものとなる可能性が高いが、第一変化率検出部５２２から出力される第一照度センサ４４１の変化率に対応する出力電圧は閾値より低いものとなる。このような場合
は非接触操作の判定動作は開始されず、誤検知を抑制することができる。
【０１３３】
非接触操作の判定動作中に、他の操作スイッチ４１０が操作された場合には、情報処理部５９０は操作スイッチ４１０の操作を優先し、非接触操作の判定動作を中止する。
【０１３４】
また、非接触操作の動作中に、使用者が例えば手の平で２つの照度センサ４４０を覆った場合や、使用者が手を移動させた場合等により、一方の非接触操作の判定動作中に、他方の非接触操作の判定動作が開始された場合は、情報処理部５９０は両方の判定動作を継続する。
【０１３５】
両方の判定動作継続中に情報処理部５９０は人体検知検出部５４０からの出力電圧を参照し、出力電圧が閾値より大きく変化している場合は、正規の非接触操作がなされているものと判定し、両方の判定動作を有効として継続する。なお、焦電センサ３１０の出力は人体を検知した場合、上下に変動するため閾値は基準値に対して上下に２個設定されており、どちらかの閾値を超えた場合に人体を検知したと判定する。
【０１３６】
最終的に一方の非接触操作が確定した場合は、対応する操作信号を赤外線送信部４３６を介して本体２００に送信する。
【０１３７】
また、両方の非接触操作が確定した場合、情報処理部５９０は両方の非接触操作の操作信号を意図する第３の操作信号を赤外線送信部４３６を介して本体２００に送信する。
【０１３８】
第３の操作信号を受信した本体制御部２４０は、着座検知センサ２５０の検知情報に基づき実施すべき操作信号を判定する。
【０１３９】
本実施の形態においては、第一照度センサ４４１はお尻洗浄の非接触スイッチであり、第二照度センサ４４２は便座開閉の非接触スイッチであるため、本体制御部２４０は着座検知信号を受信中であれば、洗浄機構２３０を駆動して、着座状態で使用する機能であるお尻洗浄を実施し、着座検知信号を受信していない場合は、便座便蓋回動機構２１５を駆動して、非着座状態で使用する機能である便座開閉の操作を実施する。
【０１４０】
上記のように、非接触操作は判定動作が開始されてから非接触操作が確定されるまでは約０．６秒から１．２秒の時間を要する。判定動作の実施中は、フロントパネル４０２の表面から視認できる強度表示灯４３１の５個のＬＥＤの中で中央の３個が点滅表示し、非接触操作が確定した時点で、強度設定がされている１個のＬＥＤが点灯表示に切り替わる。
【０１４１】
＜６＞リモートコントローラの動作および作用
使用者がトイレルームに入室し、待機モードにあるリモートコントローラ４００の人体検知センサ３００が人体を検知すると、リモコン制御部５００はリモートコントローラ４００を待機モードから稼働モードに移行させる。稼働モードに移行することによりリモートコントローラ４００の所定の機能が使用可能となる。
【０１４２】
稼働モードに移行したリモコン制御部５００は、照度センサ駆動部５２５と第一変化量検出部５２１と、第二変化量検出部５２３と、第一変化率検出部５２２と、第二変化率検出部５２４が稼働し、非接触操作の検知が可能となる。
【０１４３】
第一照度センサ４４１と第二照度センサ４４２が照度検知を開始し、第一変化量検出部５２１と第二変化量検出部５２３は出力電圧を出力する。第一変化量検出部５２１と第二変化量検出部５２３は出力電圧が１．５Ｖ〜４Ｖの範囲に入るように感度調整抵抗を選択
して感度調整を実施する。
【０１４４】
第一変化量検出部５２１と第二変化量検出部５２３の感度調整に伴い、第一変化率検出部５２２と第二変化率検出部５２４の増幅率と閾値が設定される。
【０１４５】
また、リモコン制御部５００は人体検知信号を赤外線送信部４３６を介して本体２００に送信する。本体２００の赤外線受信部２６２で受信した人体検知信号は本体制御部２４０に送信され、本体制御部２４０は便座便蓋回動機構２１５を駆動して便蓋２１０を開放するとともに、便座２２０の便座ヒータ２２１の駆動を開始させて便座２２０の昇温を開始する。
【０１４６】
リモートコントローラ４００の操作スイッチ４１０または設定スイッチ４２０が操作された場合は、リモコン制御部５００のスイッチ操作検出部５１０が操作内容を検出し、スイッチ操作検出部５１０の検出した操作信号に基づき情報処理部５９０は赤外線送信部４３６を介して操作信号を本体２００に送信する。
【０１４７】
本体２００の赤外線受信部２６２で受信した操作信号は本体制御部２４０に送信され、本体制御部２４０は操作信号に該当する機能を駆動させる。
【０１４８】
例えば、リモートコントローラ４００のビデ洗浄スイッチ４１２が操作された場合、ビデ洗浄の操作信号を受信した本体制御部２４０は洗浄機構２３０を駆動させて、洗浄ノズル２３１を本体２００内から所定の洗浄位置まで進出させて洗浄水を噴出させることによりビデ洗浄を開始する。停止スイッチ４１４が操作されると、停止信号を受信した本体制御部２４０は洗浄水の噴出を停止させ、洗浄ノズル２３１を本体２００内の収納位置まで後退させてビデ洗浄動作を終了させる。
【０１４９】
第一照度センサ４４１を使用する具体的例としては、便座２２０に着座している使用者がお尻洗浄を行うために第一照度センサ４４１に手を近づけた場合、第一変化率検出部５２２から出力電圧が閾値以上になった時点で判定動作を開始し、第一変化量検出部５２１からの出力電圧が所定時間以内（本実施の形態においては、０．６〜１．２秒以内）に閾値以下に到達した時点で非接触操作が確定する。リモコン制御部５００の情報処理部５９０はお尻洗浄の操作信号を赤外線送信部から本体２００に送信する。
【０１５０】
本体２００の赤外線受信部２６２で受信したお尻洗浄の操作信号は本体制御部２４０に送信され、お尻洗浄の操作信号を受信した本体制御部２４０は洗浄機構２３０を駆動させて、洗浄ノズル２３１を本体２００内から所定の洗浄位置まで進出させて洗浄水を噴出させることによりお尻の洗浄を開始する。
【０１５１】
お尻洗浄が終了して使用者が上記と同様に非接触操作を行い、非接触操作が確定すると、リモコン制御部５００の情報処理部５９０は操作信号を赤外線送信部から本体２００に送信する。
【０１５２】
本体２００の赤外線受信部２６２で受信した操作信号は本体制御部２４０に送信され、操作信号を受信した本体制御部２４０は洗浄動作の停止と判定し、洗浄水の噴出を停止させ、洗浄ノズル２３１を本体２００内の収納位置まで後退させてお尻洗浄動作を終了させる。
【０１５３】
なお、お尻洗浄の停止は停止スイッチ４１４を操作することでも可能であり、停止スイッチ４１４が操作されると、停止信号を受信した本体制御部２４０は洗浄水の噴出を停止させ、洗浄ノズル２３１を本体２００内の収納位置まで後退させてお尻洗浄動作を終了さ
せる。
【０１５４】
また、お尻洗浄の操作に関しては、上記非接触操作によらず、使用者がお尻洗浄スイッチ４１５を直接押圧することでも操作可能である。
【０１５５】
第二照度センサ４４２を使用する具体例としては、使用者が男子小用のために便座２２０を起立させる場合は、第二照度センサ４４２に手を近づけることにより、上記と同様に非接触操作により便座２２０を起立させることができる。また起立状態の便座を倒置させる場合も第二照度センサ４４２に手を近づけることにより、上記と同様に非接触操作により便座２２０を倒置させることができる。
【０１５６】
なお、便座開閉の操作に関しては、上記非接触操作によらず、使用者が便座開閉スイッチ４１６を直接押圧することでも操作可能である。
【０１５７】
リモートコントローラ４００の全ての動作が終了して使用者がトイレルームから退出し、人体検知センサ３００が人体の検知が終了して所定時間経過後に（本実施の形態においては約６０秒後）、リモコン制御部５００の情報処理部５９０はリモートコントローラ４００を待機モードモードへ移行させて省電力の状態を維持する。
【０１５８】
また、本体２００はリモートコントローラ４００からの人体検知信号の受信が停止すると、本体制御部２４０は所定時間経過後（本実施の形態においては６０秒後）に、便座便蓋回動機構２１５を駆動させて便蓋２１０と便座２２０を閉塞させるとともに、便座ヒータ２２１への通電を停止し、その後待機温度まで降下したら待機温度を維持するように制御を行う。
【０１５９】
上記のように本実施の形態における衛生洗浄装置のリモートコントローラ４００は、非接触による非接触操作と、手で直接操作する操作スイッチ４１０とを備え、どちらの操作方法でも同一の操作が可能としたことにより、非接触の操作方法を熟知している使用者は、非接触操作により衛生的に操作を行うことができる。また、非接触の操作方法を熟知していない使用者は、操作スイッチ４１０を使用してスイッチ操作を確実に行うことができるので、全ての使用者に使い勝手のより衛生洗浄装置を提供することができる。
【０１６０】
また、本実施の形態における衛生洗浄装置は、非接触操作の判定を第一変化量検出部５２１および第二変化量検出部５２３から出力される照度変化に対応する出力電圧と、第一変化率検出部５２２および第二変化率検出部５２４から出力される照度変化の変化率に対応する出力電圧と、人体検知検出部５４０から出力される出力電圧の中少なくとも二種類の出力電圧を使用して実施するものであり、誤検知および誤操作を抑制することができ、安全性と信頼性を向上することができる。
【０１６１】
特に、第一変化量検出部５２１および第二変化量検出部５２３から出力される照度変化の変化量に対応する出力電圧により使用者の身体部位の照度センサ４４０への近接距離を判定することができ、第一変化率検出部５２２および第二変化率検出部５２４から出力される照度変化の変化率に対応する出力電圧により使用者の操作動作のスピードを判定することができるので、正規の非接触操作を正確に判定できるとともに、移動する物体の陰や照明による明るさの変化等を誤検知することがなく、誤検知および誤操作の発生を抑制することができ、安全性と信頼性を向上することができる。
【０１６２】
しかも、同一の照度センサ４４０から検出される検出信号を非接触操作検出部５２０で演算処理することにより異なる性状のデータに変換することにより判定の精度を向上するものであり、低コストでシンプルな構成により、精度の高い判定を実施することができる
ものである。
【０１６３】
また、本実施の形態における衛生洗浄装置は、本体２００に着座検知センサ２５０を設け、両方の非接触操作が確定された場合、情報処理部５９０は両方の電動機能の操作信号を意図する第３の操作信号を赤外線送信部４３６を介して本体２００に送信し、第３の操作信号を受信した本体制御部２４０は、着座検知センサ２５０の検知情報に基づき実施すべき操作信号を判定することができるので、誤操作を防止することができ安全性と信頼性を向上することができる。また、非接触操作の操作動作の自由度を拡大することができるので、使い勝手を向上することができる。
【０１６４】
また、本実施の形態においては、人体検知センサ３００をリモートコントローラ４００に一体に設け、人体検知センサ３００が人体を検知していない待機状態の間は、リモコン制御部５００の主構成部材であるマイコンに内蔵されたストップモードの機能を使用して、マイコン自体の消費電力を抑制するとともに、電源部の電圧を５Ｖから２Ｖに降下させ、人体検知を行う焦電センサ駆動部５４１以外の各機能の駆動を停止させる。
【０１６５】
これにより、リモートコントローラ４００全体の消費電力を抑制する待機モードに移行させ、リモートコントローラ４００の電源である電池の消耗を抑制することができ、電池寿命を延長させることができるので使い勝手の良いリモートコントローラ４００を提供することができる。
【０１６６】
また、本実施の形態においては、  フロントパネルの４０２の開閉状態を検知する開閉検知センサ４３７を備え、フロントパネル４０２の開放中は、第一照度センサ４４１と第二照度センサ４４２を駆動する照度センサ駆動部５２５を停止し、第一照度センサ４４１と第二照度センサ４４２は照度変化を検知できない構成となっている。これによりフロントパネル４０２の開閉動作中に発生する陰を第一照度センサ４４１と第二照度センサ４４２が非接触操作として誤検知することを防止しすることができ、安全性と信頼性を向上することができる。
【０１６７】
なお、本実施の形態においては、非接触操作はお尻洗浄と便座の開閉操作にのみ採用したが、これに限るものではなく、ビデ洗浄、乾燥、便蓋の開閉操作等、他の電動機能に対しても採用することができる。
【０１６８】
また、本実施の形態においては、非接触操作は２個の照度センサ４４０を使用して実施したが、これに限るものではなく、１個の照度センサまたは３個以上の照度センサを使用した構成でもよい。
【０１６９】
また、本実施の形態においては、第一照度センサ４４１はお尻洗浄の操作用、第二照度センサ４４２は便座の開閉用として専用の照度センサを配置したが、照度センサは１個のみとし、１個の照度センサの操作情報を、着座検知センサ２５０の着座検知情報に基づき、着座検知信号を受信中であればお尻洗浄と判定し、着座検知信号を受信していなければ便座開閉操作と判定し、操作を実施する構成としてもよい。
【０１７０】
また、本実施の形態においては、非接触操作の近接センサとしては照度センサを使用したが、これに限るものではなく、発光素子と受光素子を備えた光検知センサあるいは送信アンテナと受信アンテナを備えたマイクロ波センサ等の近接した人体を検知できる他のセンサを使用してもよい。
【０１７１】
また、本実施に形態においては、人体検知センサ３００はリモートコントローラ４００に一体に設けた構成としたが、これに限る物ではなく、人体検知センサ３００の機能のみ
を備えた別の第２のリモートコントローラを追加して設置できる構成としても良い。第２のリモートコントローラは人体検知情報を本体２００にのみ送信する機能を備えており、第２のリモートコントローラを設置した場合はリモートコントローラ４００の人体検知情報はリモートコントローラ４００の内部では、待機モードと稼働モードの切り替えや、非接触操作の判定等には使用し、人体検知情報の本体２００への送信は複数の設定スイッチ４２０の特殊操作により停止させる。
【０１７２】
本実施の形態における衛生洗浄装置は、人体検知により便座ヒータ２２１への通電を開始し瞬間的に便座の温度を昇温させる機能を備えたものであり、トイレルームに入室した使用者を即座に検知することが望ましく、リモートコントローラ４００の設置場所によっては、使用者が便器の前に立った時点や便座に着座する直前に検知することがあるため、第２のリモートコントローラを増設することにより、上記不具合を解消することが可能となる。
【０１７３】
また、本実施の形態においては、非接触操作の判定は、１個の照度センサ４４０（例えば、第一照度センサ４４１）のみが非接触操作された場合は、第一変化量検出部５２１の出力電圧と、第一変化率検出部５２２の出力電圧により判定し、２個の照度センサ４４０が同時に非接触操作された場合は、人体検知検出部５４０の出力電圧と、両方の変化量検出部の出力電圧と、両方の変化率検出部の出力電圧により判定を行ったが、これに限るものではなく、変化量検出部の出力電圧のデータを含んでおれば、他の組み合わせで実施してもよい。また、常に変化量検出部の出力電圧と、変化率検出部の出力電圧と、人体検知検出部の出力電圧を使用して判定してもよい。
【産業上の利用可能性】
【０１７４】
以上のように、本発明にかかる衛生洗浄装置は、リモートコントローラの消費電力を低減し、電池寿命が長く使い勝手を向上することができるので、他の民生用機器のリモートコントローラの用途にも適用できる。
【符号の説明】
【０１７５】
１００  衛生洗浄装置
１１０  便器
２００  本体
２１５  便座便蓋回動機構（電動機構）
２３０  洗浄機構（電動機構）
３００  人体検知センサ
３１０  焦電センサ
４００  リモートコントローラ
４３６  赤外線送信部（送信部）
４４０  照度センサ（近接センサ、非接触スイッチ）
４４１  第一照度センサ（近接センサ、非接触スイッチ）
４４２  第二照度センサ（近接センサ、非接触スイッチ）
５００  リモコン制御部
５２５  照度センサ駆動部（センサ駆動部）
５４１  焦電センサ駆動部（人体検知駆動部）
５６０  送信駆動部
５８０  電源部
【図２】
2014031610.tif 000003
【図１２】
2014031610.tif 000004
【図１３】
2014031610.tif 000005
【図１４】
2014031610.tif 000006
【図１】
2014031610.tif 000007
【図３】
2014031610.tif 000008
【図４】
2014031610.tif 000009
【図５】
2014031610.tif 000010
【図６】
2014031610.tif 000011
【図７】
2014031610.tif 000012
【図８】
2014031610.tif 000013
【図９】
2014031610.tif 000014
【図１０】
2014031610.tif 000015
【図１１】
2014031610.tif 000016